(57)【特許請求の範囲】
【請求項１】
着用者の腹部を部分的に締め付けて上下複数段に盛り上げ、この腹部に腹筋を立体的にシミュレーションする腹筋シミュレーションバンドであって、
着用者の腹部の左右一対の腹直筋間に存在する縦長な白線と、これらの腹直筋の前面を覆う腹直筋鞘前葉の左右一対の腹側縁と、これらの腹直筋を上下複数段に区画する横長な複数本の腱画とに、前記腹部の表面上から皮膚および皮下脂肪を介して、それぞれ対向配置される複数本の弾性バンドを網状に連結した弾性ネットと、
該弾性ネットの一端部に取り付けられた第１の掛止部材と、
前記弾性ネットの他端部に取り付けられ、かつ前記第1の掛止部材に掛止される第２の掛止部材とを有したことを特徴とする腹筋シミュレーションバンド。
【請求項２】
前記弾性バンドには、対向配置される前記白線、前記腹直筋鞘前葉の腹側縁、前記腱画のうち、何れかの形状を保持する湾曲可能なバンド保形部材が、分離不能または着脱自在に取り付けられたことを特徴とする請求項１に記載の腹筋シミュレーションバンド。
【請求項３】
前記腱画に対応する弾性バンドは、前記白線に対応する弾性バンドと前記腹直筋鞘前葉の腹側縁に対応する弾性バンドとに対して、着脱自在またはスライド自在に連結されたことを特徴とする請求項１または請求項２に記載の腹筋シミュレーションバンド。
【請求項４】
前記腹部の表面上での前記白線と、前記腹直筋鞘前葉の左右一対の腹側縁と、前記複数本の腱画との位置は、前記皮膚および皮下脂肪を透して筋肉または腱を視覚化したエコー検査結果、ＣＴスキャン検査結果、ＭＲＩ検査結果の何れか１つの腹筋形状検査結果から得られた位置であることを特徴とする請求項１〜請求項３のうち、何れか１項に記載の腹筋シミュレーションバンド。
【発明の詳細な説明】
【技術分野】
【０００１】
本発明は、着用者の腹部の表面に、筋力トレーニング後に得られる腹筋を立体的に模擬表現する腹筋シミュレーションバンドに関する。
【背景技術】
【０００２】
近年、筋力トレーニングが、美容やアンチエイジング、メタボリックシンドロームなどに効果が期待できる運動として話題になり、トレーニングジム、スポーツクラブ、フィットネスクラブ等の会員数が増えている。
ところが、例えば太い腹筋が割れるといった、筋力トレーニングの成果を実感するには、一般的に何カ月間も継続してジム等に通わなければならず、途中で諦めてしまう人が多いのも事実である。
そこで、トレーニングを始める前に、訓練を続けることで腹部の皮下脂肪が減少し、その下に隠された腹筋がどのように現出するのかをシミュレーションできれば、ジム等に通うモチベーションが高まり、トレーナーが作成したトレーニングスケジュールを順調に消化し、目標のシックスパックが得られ易くなると思われる。
【０００３】
しかしながら、今日まで、自らの腹部を利用し、複数に割れた腹筋を立体的にシミュレーションする用具は開発されていなかった。それに近いものとして、例えば、非特許文献１の「マッスルボディスーツ」が知られている。非特許文献１の従来品は、ボディービルダーをイメージしたボディスーツの腹部に、６つのスポンジを上下２列３段に離間挿入し、一般的に腹筋の理想形とされるシックスパックを表現したものである。
【先行技術文献】
【特許文献】
【０００４】
【非特許文献１】［平成２７年５月１５日検索］、インターネット＜URL：http://wrs.search.yahoo.co.jp/_ylt=A7dPLU8eFyNWREMA5kyDTwx./SIG=1365tam8s/EXP=1445241054/**http%3A//item.rakuten.co.jp/party-honpo/pw-49598s/%3Fscid=af_pc_etc%26sc2id=67889001＞
【発明の開示】
【発明が解決しようとする課題】
【０００５】
しかしながら、非特許文献１の従来品は、ボディスーツの腹部にスポンジ等を入れてシックスパックを疑似表現したものであって、上述のように着用者の腹部の表面に、長期トレーニング後にしか得られない、立体的に分割された着用者固有の腹筋を、直接、シミュレーションするものではなかった。
また、腹筋の形状は６つ割れのシックスパックが理想とされるものの、例えば４つ割れ、５つ割れ、８つ割れ等、個人差があることが知られている。腹筋の割れ方も均等割れが理想であるが不均等な割れ方の方が多い。
従来、このように個人差がある腹筋の形状を、筋力トレーニング前にシミュレーションできる用具は存在しなかった。
【０００６】
そこで、本発明者は鋭意研究の結果、例えば腹部の皮下脂肪が薄い場合には、触診によりあらかじめ既知となった着用者の腹筋の縁を構成する白線と、腹直筋鞘前葉の左右一対の腹側縁と、各腱画とに、弾性ネットのうちの対応する弾性バンドをあてがって腹部を締め付け、これにより腹部を上下複数段に盛り上げることで、自らの腹部に着用者固有の腹筋を立体的にシミュレーションすれば、上述した問題はすべて解消されることを知見し、本発明を完成させた。
また、腹部の皮下脂肪が厚い場合でも、腹部の表面上から皮膚および皮下脂肪を透して筋肉または腱を視覚化するエコー検査、ＣＴスキャン検査、ＭＲＩ検査などの腹筋形状検査を行って、白線、腹直筋鞘前葉の左右一対の腹側縁、および、各腱画の位置と形状とを知るようにすれば、この腹筋シミュレーションバンドを使用し、個人差がある腹筋の外観を、筋力トレーニングによって皮下脂肪を減少させかつ腹筋を厚肉化する前に、正確にシュミレーションできることを知見し、本発明を完成させた。
【０００７】
本発明は、上述の問題を解決するためになされたもので、その目的とするところは、着用者の腹部の表面に、直接、立体的に分割された着用者固有の腹筋をシミュレーションすることができる腹筋シミュレーションバンドを提供することにある。
【課題を解決するための手段】
【０００８】
請求項１に記載の本発明は、着用者の腹部を部分的に締め付けて上下複数段に盛り上げ、この腹部に腹筋を立体的にシミュレーションする腹筋シミュレーションバンドであって、着用者の腹部の左右一対の腹直筋間に存在する縦長な白線と、これらの腹直筋の前面を覆う腹直筋鞘前葉の左右一対の腹側縁と、これらの腹直筋を上下複数段に区画する横長な複数本の腱画とに、前記腹部の表面上から皮膚および皮下脂肪を介して、それぞれ対向配置される複数本の弾性バンドを網状に連結した弾性ネットと、該弾性ネットの一端部に取り付けられた第１の掛止部材と、前記弾性ネットの他端部に取り付けられ、かつ前記第1の掛止部材に掛止される第２の掛止部材とを有したことを特徴とする腹筋シミュレーションバンドである。
【０００９】
請求項２に記載の本発明は、前記弾性バンドに、対向配置される前記白線、前記腹直筋鞘前葉の腹側縁、前記腱画のうち、何れかの形状を保持する湾曲可能なバンド保形部材が、分離不能または着脱自在に取り付けられたものである。
【００１０】
請求項３に記載の本発明は、前記腱画に対応する弾性バンドが、前記白線に対応する弾性バンドと前記腹直筋鞘前葉の腹側縁に対応する弾性バンドとに対して、着脱自在またはスライド自在に連結されたものである。
【００１１】
請求項４に記載の本発明は、前記腹部の表面上での前記白線と、前記腹直筋鞘前葉の左右一対の腹側縁と、前記皮膚および複数本の腱画との各位置を、前記皮下脂肪を透して筋肉または腱を視覚化するエコー検査、ＣＴスキャン検査、ＭＲＩ検査の何れか１つの腹筋形状検査を行って得るようにしたものである。
【００１２】
腹筋は、腹部の前腹壁の一部を構成する左右一対の腹直筋を有している。
腹筋を区画する縁（筋、腱）は、両腹直筋のあいだに存在する白線と、各腹直筋の外側（腹側）に存在する腹側縁と、両腹直筋を上下複数段に区画する横長な複数本の腱画とから構成されている。腱画の本数は、（左右の腹直筋を貫通したものを１本として）一般的に３本または４本である。
ここでいう弾性バンドとは、弾性体からなる帯また紐を意味する。例えば、ゴムまたは伸縮糸素材を丸打ちまたは平打ちして加工したゴム紐が挙げられる。その他、多数本の輪ゴムを編んで紐状にした弾性バンドや、大判のゴム平板を網状に打ち抜いて一体形成した弾性バンドでもよい。
弾性バンドの素材としては、例えば天然ゴムの他、各種の合成ゴム（スチレンブタジエンゴム、ブタジエンゴム、クロロプレンゴム、イソプレンゴム、イソブチレン・イソプレンゴム、エチレンプロピレンゴム、ニトリルゴム、シリコーンゴム、フッ素ゴム、アクリルゴム、ウレタンゴム、多硫化ゴム、塩素化ブチルゴム、エビクロルヒドリンゴム等）が挙げられる。
弾性バンドの断面形状は任意である。例えば円形、楕円形、三角形、四角形以上の多角形などである。
【００１３】
弾性ネットを構成する弾性バンドの本数は、着用者の腱画の本数によって異なる。これは、腱画の本数に個人差があるためである。
腱画に対応する弾性バンド（以下、腱画用バンドという場合がある）は、白線に対応するバンドおよび左右一対の腹直筋の腹側縁に対応する弾性バンドに対して着脱自在、または、スライド自在（上下移動自在）とした方が望ましい。仮に、着用者の腱画の本数が、弾性ネットに連結された腱画用バンドの本数より少ない場合には、多い分の腱画用バンドを白線と左右一対の腹直筋の腹側縁とから取り外す（着脱自在タイプ）。または、腱画用バンドを白線と左右一対の腹直筋の腹側縁とに沿って上下方向に移動し、隣接する腱画用バンドに重ね合わせる（スライド自在タイプ）。反対に、着用者の腱画の本数が腱画用バンドの本数より多い場合には、少ない分の腱が用バンドを白線と左右一対の腹直筋の腹側縁に着脱自在に取り付けるか、隣接する腱画用バンドに重ね合わせていた腱画用バンドをスライドして分離する。
腱画用バンドを、白線用バンドおよび腹側縁バンドにそれぞれ着脱自在に取り付ける部材としては、例えば、面ファスナ、ホック、フックを採用することができる。
腱画用バンドを、白線用バンドおよび腹側縁バンドにそれぞれスライド自在に取り付ける構造としては、例えば、腱画用バンドの各連結位置に、白線用バンドまたは腹側縁バンドを挿通する挿通リングを配設することなどが挙げられる。
【００１４】
第１の掛止部材および第２の掛止部材の種類は任意である。例えばフック、ホック、面ファスナなどを採用することができる。面ファスナの場合、フック（雄）側面ファスナと、ループ（雌）側面ファスナの何れを第１の掛止部材（または第２の掛止部材）に配置してもよい。なお、雄雌の区別がない面ファスナを採用してもよい。
具体的には、第１の掛止部材として、一方の面に第１の面ファスナが設けられた第１の腰当てベルトを採用し、かつ第２の掛止部材として、第１の面ファスナと重なる面に第２の面ファスナが設けられた第２の腰当てベルトを採用してもよい。腹筋シミュレーションバンドの着用時、着用者の腰部側で、第１の腰当てベルトと第２の腰当てベルトとを重ね合わせて、第１の面ファスナと第２の面ファスナとを掛止する。第１，２の面ファスナを採用したため、腹筋シミュレーションバンドの着用時、第１，２の面ファスナの掛止位置をそのベルト長さ方向にずらすだけで、各弾性バンドによる腹部の締め付け力を適宜変更したり、各腹筋の形状を変更することができる。
この場合、第１の腰当てベルトおよび第２の腰当てベルトの素材は任意である。例えば、弾性体からなる伸縮ベルトでも、布帛やプラスチックシートからなる非伸縮性ベルトでもよい。
第１，２の掛止部材が連結されるのは、少なくとも全腱画用バンドのうち、最上段および最下段に配置された腱画用バンドから延出された延出部分バンドの端部である。
【００１５】
また、第１の掛止部材および第２の掛止部材には、対応する腱画用バンドによる腹部の締め付け力を個別に調整する複数の腱画締め付け力調整手段を配設してもよい。これにより、腹筋シミュレーションバンドの着用時、第１の掛止部材および第２の掛止部材に配設された所定の腱画締め付け力調整手段を使用して、対応する腱画による腹部の締め付け力を個別に調整することできる。その結果、腹部の表面に押し付けられた弾性ネットが部分的に変形し、筋力トレーニング前に、不均等な割れなどの個人差がある腹筋を、より正確かつ形状維持に好適な締め付け力でシミュレーションすることができる。
ここでいう腱画締め付け力調整手段の種類は任意である。例えば、（１）腱画用バンドから延出された延出部分バンドの端部が、対応する掛止部材に設けたバックルに装着されるバックル式のもの、（２）腱画用バンドの延出部分バンドの端部に面ファスナが固定され、かつ対応する掛止部材にこの面ファスナに掛止される別の面ファスナが固定された面ファスナ式のもの、（３）腱画用バンドの延出部分バンドの端部に、その長さ方向に所定ピッチで複数のフック（または掛止リング）が配設され、かつ対応する掛止部材に掛止リング（またはフック）が配設されたフック式のもの、（４）腱画用バンドの延出部分バンドの端部に、その長さ方向に所定ピッチで複数の雄型ホック（または雌型ホック）が配設され、かつ対応する掛止部材に雌型ホック（または雄型ホック）が配設されたホック式のものなどを採用することができる。
【００１６】
また、ここでいうバンド保形部材とは、白線、腹直筋鞘前葉の腹側縁、腱画の（変形した）形状を、正確に対応する弾性バンドに表現するための用具である。
バンド保形部材は、弾性バンドに分離不能に固定されたものでも、着脱自在に取り付けられたものでもよい。
バンド保形部材が取り付けられる弾性バンドは、白線と対向配置されたもの（以下、白線用バンドという場合がある）でも、腹直筋鞘前葉の腹側縁と対向配置されたもの（以下、腹側縁用バンドという場合がある）でも、腱画と対向配置されたもの（腱画用バンド）でもよい。
バンド保形部材が取り付けられる弾性バンドの本数は任意である。１本でも、全ての弾性バンドに取り付けてもよい。
【００１７】
バンド保形部材の材料としては、手の力で湾曲可能な厚さの鉛板、アルミニウム板、鉄板などを採用することができる。その他、湾曲可能な所定厚さを有する各種の合成樹脂板でもよい。また、これらの金属板を芯材とし、それを所定厚さの合成樹脂により被覆（コーティング）したものでもよい。
バンド保形部材を弾性バンドに分離不能に連結（固定）する方法としては、例えば接着、融着、嵌着の他、バンド保形部材にバンド挿通孔を形成し、これに弾性バンドを挿通する方法などを採用することができる。
また、バンド保形部材を弾性バンドに着脱自在に連結する方法としては、例えばクリップ、面ファスナ等による掛止を採用することができる。
【００１８】
腹部の表面上から、白線、腹直筋鞘前葉の左右一対の腹側縁、複数の腱画のそれぞれの位置を、皮膚および皮下脂肪を透して検査（腹筋形状検査）する方法は任意である。例えば、超音波を利用して筋肉または腱を視覚化するエコー検査（超音波検査）でも、Ｘ線を利用したＣＴスキャン検査でも、磁気共鳴を利用したＭＲＩ検査でもよい。その他、皮下脂肪が少ない場合には、手や指により腹部を触ることで、これらの位置（腹筋の外観形状）を検出してもよい。
特に、デジタルエコー検査は、検査料が廉価で、かつ皮膚付近の筋肉や筋膜等も鮮明にモニタ表示される。そのため、高精度に腹筋形状を検査できるために好ましい。
【発明の効果】
【００１９】
請求項１に記載の発明によれば、着用者の腹部の表面（皮膚）に弾性ネットをあてがい、腹部を部分的に締め付けた状態で、第1の掛止部材と第２の掛止部材とを腰部側で掛止して、腹筋シミュレーションバンドを着用する。
その際、あらかじめ触診や非接触式の腹筋形状検査を行うことで既知となった、腹筋の白線、腹直筋鞘前葉の左右一対の腹側縁および各腱画に、皮膚および皮下脂肪を介して、それぞれ対応する弾性バンドを対向配置し、この状態で弾性ネットの両端部を強く引っ張って腹部を締め付ける。これにより、腹部の表面が腹筋の縁（筋、腱）を境界にして上下複数段に盛り上がる。その結果、着用者の腹部の表面に、直接、立体的に分割された着用者固有の腹筋をシミュレーションすることができる。
【００２０】
特に、請求項２に記載の発明によれば、事前の腹筋形状検査において、仮に白線、腹直筋鞘前葉の腹側縁、腱画のうちで顕著に変形（湾曲）するものがあった場合には、それに対向配置される弾性バンドに取り付けたバンド保形部材を、その変形した白線や腱画等と同一形状に変形させて、腹筋シミュレーションバンドを着用する。
これにより、対応する弾性バンドの腹部締め付け位置を何度も手直しすることなく、白線や腱画等が変形した着用者固有の腹筋を、容易かつ正確にシミュレーションすることができる。
【００２１】
請求項３に記載の発明によれば、あらかじめ既知となった腹筋の割れ数に合わせて、腱画に対応する弾性バンドを、白線に対応する弾性バンドと腹直筋鞘前葉の腹側縁に対応する弾性バンドに対して、着脱自在に連結または連結解除する。または、腱画に対応する弾性バンドを、白線に対応する弾性バンドと腹直筋鞘前葉の腹側縁に対応する弾性バンドに沿ってスライドし、隣接する腱画に対応する弾性バンドに重ね合わせることでその本数を減らすか、この腱画に対応する弾性バンドの重なり状態を解除して、本来の本数に戻す。
また、あらかじめ既知となった各腱画の間隔が不均等の場合には、該当する腱画に対応した弾性バンドを、白線に対応する弾性バンドと腹直筋鞘前葉の腹側縁に対応する弾性バンドとに沿って上下方向に所定距離だけスライドさせる。
このようにすることで、１つの腹筋シミュレーションバンドを利用し、より多様な腹筋の外観形状をシミュレーションすることができる。
【００２２】
請求項４に記載の発明によれば、エコー検査、ＣＴスキャン検査、ＭＲＩ検査の何れか１つを利用し、着用者の腹筋形状を非接触検査する。これにより、着用者の腹部の皮膚および皮下脂肪を透して、腹部の表層に存在する白線、腹直筋鞘前葉の左右一対の腹側縁および各腱画の正確な位置および形状を画像として視認することができる。
【図面の簡単な説明】
【００２３】
【図１】本発明の実施例１に係る腹筋シミュレーションバンドの使用状態を示す正面図である。
【図２】本発明の実施例１に係る腹筋シミュレーションバンドの展開図である。
【図３】本発明の実施例１に係る別の腹筋シミュレーションバンドの要部斜視図である。
【図４】本発明の実施例１に係るまた別の腹筋シミュレーションバンドの要部斜視図である。
【図５】本発明の実施例１に係る腹筋シミュレーションバンドの掛止状態を示す要部背面図である。
【図６】本発明の実施例１に係る腹筋シミュレーションバンドの一部を構成するバンド保形部材の使用状態を示す平面図である。
【図７】本発明の実施例２に係る腹筋シミュレーションバンドの展開図である。
【発明を実施するための形態】
【００２４】
以下、本発明の実施例を具体的に説明する。
【実施例】
【００２５】
図１において、１０は本発明の実施例１に係る腹筋シミュレーションバンドで、この腹筋シミュレーションバンド１０は、着用者の腹部を部分的に締め付けて上下複数段に盛り上げ、この腹部にシックスパックの腹筋Ａを立体的にシミュレーションする用具である。
以下、これを具体的に説明する。
【００２６】
図１および図２に示すように、腹筋シミュレーションバンド１０は、着用者の腹部の表面のうち、この腹部の左右一対の腹直筋ａの間に存在する縦長な白線ｂと、これらの腹直筋ａの前面を覆う腹直筋鞘前葉の左右一対の腹側縁ｃと、これらの腹直筋ａを上下３段に区画する横長な４本の腱画ｄとに、皮膚および皮下脂肪を介してそれぞれ対向配置される合計７本の弾性バンド１１を網状に連結した弾性ネット１２を具備している。
弾性バンド１１は、透明な合成ゴム（シリコーンゴムなど）からなる幅５〜１０ｍｍ、厚さ１〜３ｍｍの平紐である。
ここで、各弾性バンド１１のうち、白線ｂに対応するものを白線用バンド１３、腹側縁ｃに対応するものを腹側縁用バンド１４、腱画ｄに対応するものを腱画用バンド１５とする。
【００２７】
各弾性バンド１１の連結は、分離不能な接着または熱融着によって行う。ただし、腹筋Ａの形状には個人差がある。そのため、例えばフォーパットの腹筋Ａを有する着用者や、各腱画ｄの間隔が異なる腹筋Ａを有する着用者にも対応できるように、各腱画用バンド１５の各連結部分に白線用バンド挿通孔部１６および腹側縁用バンド挿通孔部１７を配設し、これらに対応する白線用バンド１３や腹側縁用バンド１４を挿通する構成としてもよい（図３）。このようにすれば、各腱画用バンド１５が白線用バンド１３および両腹側縁用バンド１４に沿って上下方向にスライド自在となる。その結果、１つの腹筋シミュレーションバンド１０を使用し、さらに多様な腹筋Ａの外観形状を疑似表現することができる。
その他、腱画用バンド１５の各連結部分に雌側ホック１８を配設し、白線用バンド１３および腹側縁用バンド１４の各連結部分に、対応する雄側ホック１９を配設することで、必要に応じて弾性ネット１２に腱画用バンド１５を簡単に増減することができる（図４）。
４本の腱画用バンド１５のうち、最上段の腱画用バンド１５と最下段の腱画用バンド１５とには、その長さ方向の両端から左右一対の延出部分バンド２０が一体的に延びている（図２）。このうち、各左側の延出部分バンド２０の先端部には、装着フック（第１の掛止部材）２１が配設され、各右側の延出部分バンド２０の先端部には、掛止リング（第２の掛止部材）２２が配設されている。
【００２８】
次に、図１、図２、図５および図６を参照して、本発明の実施例１に係る腹筋シミュレーションバンド１０の使用方法を説明する。
あらかじめ触診や非接触式の腹筋形状検査を行い、着用者固有のものである、腹筋の白線、腹直筋鞘前葉の左右一対の腹側縁、各腱画のそれぞれの位置と形状とを把握する。
すなわち、着用者の腹部に皮下脂肪が少ない場合には、手や指で腹部を触り、それぞれが腹筋Ａの輪郭を構成する白線ｂ、腹直筋鞘前葉の左右一対の腹側縁ｃ、各腱画ｄの各位置と各形状とを検査する。また、着用者が痩せていれば目視のみで判断できる場合もある。
一方、着用者の腹部に皮下脂肪が多い場合には、図示しないデジタルエコー装置により腹部の表面全体を超音波検査する。これにより、腹部の皮膚および皮下脂肪を透して、着用者の腹部の表層に埋没した腹筋Ａの輪郭を構成する白線ｂ、腹直筋鞘前葉の左右一対の腹側縁ｃおよび各腱画ｄの正確な位置および形状を、モニタ画面上で視認することができる。
これらの検査結果は記録用紙に記録する。また、必要により着用者の腹部に直接マーキングしてもよい。デジタルエコー装置の場合には、ディスプレイ画面に表示するとともに、パソコン、タブレット、スマートフォンなどの端末の記憶部（メモリ）に記憶する。
【００２９】
次に、図１および図５に示すように、着用者の腹部の表面に弾性ネット１２をあてがい、各延出部分バンド２０を腰部方向に引っ張り、これらを着用者の胴部に巻き付けながら、着用者の腰部側（背中側）で各装着フック２１を、対応する掛止リング２２にそれぞれ掛止する。
その際、図１および図２に示すように、あらかじめ既知となった腹筋Ａの白線ｂ、腹直筋鞘前葉の左右一対の腹側縁ｃおよび各腱画ｄに、腹部の皮膚および皮下脂肪を介して、それぞれ対応する白線用バンド１３、腹側縁用バンド１４および腱画用バンド１５を、互いに重なり合うように対向配置する。このとき、各弾性バンド１１および延出部分バンド２０は伸縮自在な弾性体であり、各延出部分バンド２０を腰部方向に引っ張ることで、腹部の皮膚および皮下脂肪を介して、腹部の表面の上からこれらの弾性バンド１１が対応する白線ｂ等に強く押し付けられる。
これにより、腹部が腹筋Ａの縁（筋、腱）を境界にして上下複数段に盛り上がり、この腹部の表面に着用者自身の腹筋Ａの形状が模擬表現される。その結果、その腹部に、直接かつ立体的に着用者固有のシックスパックの腹筋Ａをシミュレーションすることができる。
【００３０】
また、図６に示すように、腹筋シミュレーション時、白線ｂ、腹直筋鞘前葉の腹側縁ｃ、腱画ｄのうちで、顕著に変形（湾曲）するものがあった場合には、それに対向配置される弾性バンド１１にバンド保形部材２３を着脱自在に取り付け、このバンド保形部材２３を、対応する白線ｂ、腹側縁ｃ、腱画ｄと同一形状に変形させて着用すればよい。
バンド保形部材２３は、細長い芯材の鉛板２４を、軟質塩化ビニル製のモールド体２５により被覆した湾曲可能な角棒である。モールド体２５の底部には、その長さ方向の全長にわたって弾性バンド１１の狭い嵌入スリット２５ａが形成されている。
バンド保形部材２３の使用時には、嵌入スリット２５ａを介して、所望の例えば腹側縁用バンド１４にバンド保形部材２３を嵌め込んで取り付ける。これにより、対応する弾性バンド１１の腹部締め付け位置を何度も手直しすることなく、腹直筋鞘前葉の各腹側縁ｃや腱画ｄ等が著しく変形した着用者固有の腹筋Ａを容易に現出し、かつそれを保持することができる。
【００３１】
次に、図７を参照して、本発明の実施例２に係る腹筋シミュレーションバンドを説明する。
図７に示すように、実施例２の腹筋シミュレーションバンド１０Ａの特徴は、左側の各延出部分バンド２０の先端部が連結される第１の掛止部材として、表面全域にフック側面ファスナ（第１の面ファスナ）３０が張設された第１の腰当てベルト３１を採用し、また右側の各延出部分バンド２０の先端部が連結される第２の掛止部材として、裏面全域にフック側面ファスナ３１と掛合するループ側面ファスナ（第２の面ファスナ）３２が張設された第２の腰当てベルト３３を採用した点である。
腹筋シミュレーションバンド１０Ａの着用時、着用者の腰部側で、第１の腰当てベルト３１と第２の腰当てベルト３３とを重ね合わせる。これにより、フック側面ファスナ３０とループ側面ファスナ３２とが広範囲にわたって掛止される。
その結果、腹筋シミュレーションバンド１０Ａの着用時、両面ファスナ３０，３２の掛止位置をそのベルト長さ方向にずらすことにより、左右側の各延出部分バンド２０を介して、各弾性バンド１１による腹部の締め付け力を適宜変更したり、各腹筋Ａの形状を変更することができる。
その他の構成、作用および効果は、実施例１と同じであるために説明を省略する。
【産業上の利用可能性】
【００３２】
本発明は、着用者の腹部に、筋力トレーニング後に得られる腹筋を模擬表現する技術として有用である。その他、この腹筋シミュレーションバンドは、パーティグッズとして利用することができる。さらに、シャツ（例えばＹシャツ、Ｔシャツ）等の薄い上着（肌着を含む）を通して、腹筋（シックスパック等）のシルエットを表現できる、新規な腹筋シルエット表示グッズとしての利用も可能である。
【符号の説明】
【００３３】
１０，１０Ａ  腹筋シミュレーションバンド
１１  弾性バンド
１２  弾性ネット
１３  白線用バンド
１４  腹側縁用バンド
１５  腱画用バンド
２１  装着フック（第１の掛止部材）
２２  掛止リング（第２の掛止部材）
２３  バンド保形部材
３０  フック側面ファスナ（第１の掛止部材）
３１  第１の腰当てベルト
３２  ループ側面ファスナ（第２の掛止部材）
３３  第２の腰当てベルト
Ａ  腹筋
ａ  腹直筋
ｂ  白線
ｃ  腹側縁
ｄ  腱画
【要約】
【課題】着用者の腹部の表面に、直接、立体的に分割された着用者固有の腹筋をシミュレーション可能な腹筋シミュレーションバンドを提供する。
【解決手段】着用者の腹部を部分的に締め付けて上下複数段に盛り上げ、この腹部に厚肉な腹筋Ａをシミュレーションする腹筋シミュレーションバンド１０であって、白線ｂと、腹直筋鞘前葉の左右一対の腹側縁ｃと、複数本の腱画ｄとに、腹部の表面上から皮膚および皮下脂肪を介して対向配置される複数本の弾性バンド１１を網状に連結した弾性ネット１２と、弾性ネット１２の一端部に取り付けられた装着フック（第１の掛止部材）２１と、弾性ネット１２の他端部に取り付けられ、かつ装着フック２１に掛止される掛止リング（第２の掛止部材）２２とを有したものである。
【選択図】図１【図１】
0005892574.tif 000002
【図２】
0005892574.tif 000003
【図３】
0005892574.tif 000004
【図４】
0005892574.tif 000005
【図５】
0005892574.tif 000006
【図６】
0005892574.tif 000007
【図７】
0005892574.tif 000008